(57)【要約】      （修正有）【課題】足に確実に固定でき、防水性と耐摩耗性が高いペット用の防水ソックスを提供する。【解決手段】ソックス胴部１と、ペットの足を収容するソックス底部２とを含み、ソックス胴部がソックス底部と連通し、ソックス胴部の上にペットの足が出入りするためのソックス開口３を設け、ソックス底部の外側に、弾性防水材料で作製された弾性防水層４が側面包囲部５と共に複合設置される。弾性防水層の底部に滑り止め構造が設置され、ソックス胴部に滑り落ち防止構造が設置され、さらに滑り落ち防止構造を覆い隠すことのできる遮蔽構造が設置される。【選択図】図１
0003197313.tif 000002
【実用新案登録請求の範囲】
【請求項１】
ソックス胴部（１）と、ペットの足を収容するソックス底部（２）とを含み、前記ソックス胴部（１）がソックス底部（２）と連通し、前記ソックス胴部（１）の上にペットの足が出入りするためのソックス開口（３）を備えるペット用ソックスにおいて、
前記ソックス底部（２）の底部外側に、弾性防水材料で作製された弾性防水層（４）が複合設置されることを特徴とするペット用ソックス。
【請求項２】
前記弾性防水層（４）が前記ソックス底部（２）の底部全体を覆い、且つ上へ向けて延伸して側面包囲部（５）を形成し、前記側面包囲部（５）が前記ソックス胴部（１）の外側全体を覆い、または前記ソックス胴部（１）の外側を局部的に覆うことを特徴とする請求項１に記載のペット用ソックス。
【請求項３】
前記弾性防水層（４）の底部に滑り止め構造（６）が設置されることを特徴とする請求項１又は２に記載のペット用ソックス。
【請求項４】
前記滑り止め構造（６）は、シート状のパッド（７）を含み、前記パッド（７）の底部には凸凹構造が設置され、または前記滑り止め構造（６）は、前記弾性防水層（４）の底部に形成され、且つ前記弾性防水層（４）と一体的に連結している凸凹模様であることを特徴とする請求項１乃至３に記載のペット用ソックス。
【請求項５】
前記パッド（７）は貼り付けまたは溶接によって前記弾性防水層（４）に固定され、前記凸凹構造は、前記パッド（７）の底部に分布する突出点、突出ラック、突出ブロック、突出リングのうちのいずれかの１つまたは幾つかの組合せを含むことを特徴とする請求項１乃至４に記載のペット用ソックス。
【請求項６】
前記ソックス胴部（１）に滑り落ち防止構造（８）が設置され、さらに前記ソックス胴部（１）に、前記滑り落ち防止構造（８）を覆い隠すことのできる遮蔽構造（９）が設置されることを特徴とする請求項１乃至５に記載のペット用ソックス。
【請求項７】
前記滑り落ち防止構造（８）は前記ソックス胴部（１）の上方中央部に固定され、または取り外し可能に連結され、前記滑り落ち防止構造（８）は、前記ソックス胴部（１）に設置されるベルト（１０）を含み、前記ベルト（１０）は円周上に前記ソックス胴部（１）に巻き付き、前記ソックス胴部（１）をペットの足部に締め付けることを特徴とする請求項１乃至６に記載のペット用ソックス。
【請求項８】
前記遮蔽構造（９）は、前記ソックス胴部（１）に設置され且つ前記ソックス胴部（１）と一体的に連結する遮蔽スリーブ（１１）を含み、前記遮蔽スリーブ（１１）を折り返して前記滑り落ち防止構造（８）を覆い隠し、前記遮蔽スリーブ（１１）の内側には、折り返すと外部から視認できる装飾構造が設置されていることを特徴とする請求項１乃至７に記載のペット用ソックス。
【請求項９】
前記ベルト（１０）の一端が前記ソックス胴部（１）に固定され、もう一端が自由端であり、前記ベルト（１０）の自由端には第１位置決め部材（１２）と第２位置決め部材（１３）が設置され、前記第１位置決め部材（１２）と前記第２位置決め部材（１３）は互いに連結され、または、前記ベルト（１０）の略中央部が前記ソックス胴部（１）に固定され、前記ベルト（１０）の一端に第３位置決め部材（１４）が設置され、前記ベルト（１０）の他端には第４位置決め部材（１５）が設置され、前記第３位置決め部材（１４）と第４位置決め部材（１５）とが、互いに連結されることを特徴とする請求項１乃至８に記載のペット用ソックス。
【考案の詳細な説明】
【技術分野】
【０００１】
本考案はペット用品の技術分野に属し、詳しくは、ペット用ソックスに関する。
【背景技術】
【０００２】
人々の生活が豊かになるにつれて、ペットを飼う人がだんだん増えている。しかし猫にや犬等のペットを飼う場合には、様々な問題がある。
例えば、ペットの足や爪には様々な大量の細菌が付着しており、これらの細菌はペットが散歩等で、地面や芝生、泥等、汚い環境を歩く間に、知らないうちに付着し、時間の経過と共に増殖していく。このような細菌はペットや一緒に暮らす人間の健康にも悪影響を与える。
また、ペットがその様な場所を歩くと、ホコリや泥、ゴミなどの汚れがどうしても付着してしまう。
ペットが家に帰ってきて、足部に汚れが付着したまま室内で遊ばせると、汚れや細菌が家中に拡散、付着してしまい、清潔な家庭環境に不便をもたらす。
さらに、子供や大人がペットと遊ぶときに、それらが身体に付着する可能性もあり、健康を脅かす恐れもある。
【０００３】
もちろん、ペットの足部をしっかりと洗剤等を使用して洗浄すれば上記の問題を解決することができる。しかし依然として以下の問題が残る。
【０００４】
洗浄過程が煩雑で、時間や手間が掛かる。また、すべての飼い主が外出する度にペットの洗浄作業を行うわけではない。
頻繁にペットの洗浄作業を行う飼い主でも特別な事情で洗浄作業ができないときもある。
【０００５】
また、洗浄後に、水気をしっかり拭いていないと、ペットが歩いたときに、床に足跡が残ってしまう。
【０００６】
更に、寒い季節には、ペットも直に冷たい地面に触れると寒く感じる。
【０００７】
その上、ペットの鋭い爪は、人、特に子供を傷付ける恐れがある。また、鋭い爪は、人々が身につけている服や木製の床、家具などを損傷する可能性がある。
【０００８】
上記の問題を解決するために、人々は長い間模索してきた。
例えば、先行技術文献として以下の文献がある。
【先行技術文献】
【特許文献】
【０００９】
【特許文献１】中国出願番号ＣＮ２０１０２０２２２１２３．７
【００１０】
この中国特許文献１には、ペット用保健ソックスが開示されている。概要としては、ソックス底部の裏表の足指エリア及び足裏エリアに滑り止め突起付きプラスチックが増設され、前記滑り止め突起付きプラスチックがそれぞれソックス底部の足指エリア及び足裏エリアに設置され、防寒効果を果たし、かつペットによる人間及び室内の物品への損傷を減らすほかに、摩擦力を増大させ、滑ったり転倒することを防止できる。
ソックス底部の内側におけるペットの足と接触する面に設置された滑り止め突起付きプラスチックは、ペットが歩くときにマッサージ効果を果たし、且つ滑り止め突起付きプラスチックはシリコン材料で作製され、柔らかくて、エコで毒性もない。というものである。
【００１１】
上記解決手段により、ある程度課題を解決したが、依然として以下の課題が残っていた。
【００１２】
本文献記載の技術では、ソックスの防水性が悪く、地面に水気があると、該ソックスは水分を吸収してしまうため、ペットの足が湿った状態に置かれ、着心地が悪い上に細菌が繁殖してしまう。
【００１３】
ペット用ソックスは通常糸で編んだものであり、滑り止め突起付きプラスチックを設置したものの、底部を完全に包み込む構成ではない。このため、ペットが室外で歩くときに不純物を付着しやすく、且つ摩耗により破れやすくなる。
【００１４】
また、従来のペット用ソックスにおいては、ペットが歩いている間に、ソックスが足から滑り落ちやすく、ソックスをペットの足に確実に締め付けることができない。
そうすると、ペットが歩くときに躓いて転んだり、怪我をする恐れがあり、またソックスも破れやすくなる。このように、従来技術におけるペット用ソックスは滑り止め効果が悪く、特にペットが湿った地面で歩くときに、非常に転びやすいという課題があった。
【考案の概要】
【考案が解決しようとする課題】
【００１５】
本考案の目的は、上記の課題に対し、設計が合理的で、構造が簡単で、かつ防水性の高いペット用ソックスを提供することである。
【００１６】
本考案のもう１つの目的は、上記の課題に対し、実施や加工が簡単で、品質の高い、防水性も高いペット用ソックスの製造方法を提供することである。
【課題を解決するための手段】
【００１７】
上記目的を達成するために、本考案は以下の技術的手段を採用する。本ペット用ソックスは、ソックス胴部と、ペットの足を収容するソックス底部とを含み、前記ソックス胴部がソックス底部と連通し、ソックス胴部の上にペットの足が出入りするためのソックス開口を備え、その特徴は、ソックス底部の底部外側に、弾性防水材料で作製された弾性防水層が複合設置されることである。
【００１８】
このように、ソックス底部の外側に弾性防水層を設けたため、水分の浸入を効果的に防止でき、着心地がよくなる上に、健康にも有利である。また、防水層は弾性を有するため、多様なペットの異なる足のサイズに適用でき、使用の幅が広い。
また、弾性防水層はペット用ソックスを防護する効果があり、耐磨耗性が向上した上に、泥やホコリ等の不純物の付着を避け、ソックスの損傷も回避する。つまり、耐久性の高いペット用防水ソックスを提供することができる。
【００１９】
更に、本考案に係るペット用防水ソックスの美観を向上するために、ソックス胴部に様々な模様を設置することができる。
また、ペットの種類によって、本ペット用防水ソックスを様々な形状に設計することができる。
弾性防水材料はＰＶＣ、ＰＵ、ゴム、シリコン、ラテックスのうちのいずれか１種を用いる。
【００２０】
上記のペット用ソックスにおいて、前記弾性防水層がソックス底部の底部全体を覆い、且つ上へ向けて延伸して側面包囲部を形成し、前記側面包囲部がソックス胴部の外側全体を覆い、またはソックス胴部の外側を局部的に覆う。
側面包囲部はさらに防水性を向上させることができ、水分がペット用ソックスの側部から浸入することを防止することができる。
【００２１】
側面包囲部がソックス胴部の外側全体を覆うペット用ソックスは、よりよい防水性及び耐損傷性を備えており、使用寿命が長く、加工も簡単である。
【００２２】
側面包囲部がソックス胴部の外側を局部的に覆うペット用ソックスは、製造コストが比較的安く、且つ防水性と通気性を兼ね備えている。
【００２３】
上記のペット用ソックスにおいて、更に前記弾性防水層の底部に滑り止め構造が設置される。該滑り止め構造により、ペットが室外の濡れた地面や凍結した地面を歩くときの安定性を効果的に向上させることができる。
【００２４】
上記のペット用ソックスにおいて、前記滑り止め構造は、シート状のパッドを含み、前記パッドの底部に凸凹構造が設置され、または前記滑り止め構造は、弾性防水層の底部に形成され、且つ弾性防水層と一体的に連結している凸凹模様である。
【００２５】
上記のペット用ソックスにおいて、前記パッドは、貼り付けまたは溶接、溶着によって弾性防水層に固定され、前記凸凹構造は、パッドの底部に分布する突出点、突出ラック、突出ブロック、突出リングのうちのいずれかの１つまたは幾つかの組合せを含む。
【００２６】
上記のペット用ソックスにおいて、前記ソックス胴部に滑り落ち防止構造が設置され、さらにソックス胴部に、前記滑り落ち防止構造を覆い隠すことのできる遮蔽構造が設置される。
【００２７】
この滑り落ち防止構造については後述するが、その他の構造、例えば引き紐、調整ベルト、ボタンの留め具などの技術的手段であっても構わない。
【００２８】
上記のペット用ソックスにおいて、前記滑り落ち防止構造は、ソックス胴部の上方中央部に固接され、または取り外し可能に連結され、前記滑り落ち防止構造は、ソックス胴部に設置されるベルトを含み、前記ベルトが円周上にソックス胴部に巻き付き、ソックス胴部をペットの足部に締め付ける。
【００２９】
滑り落ち防止構造が取り外し可能に連結されることで、滑り落ち防止構造が必要でないときには取り外すことができ、使用がより便利になる。
【００３０】
上記のペット用ソックスにおいて、前記遮蔽構造は、ソックス胴部に設置され且つソックス胴部と一体的に連結する遮蔽スリーブを含み、前記遮蔽スリーブを折り返すことで前記滑り落ち防止構造を覆い隠すことができる。
【００３１】
前記遮蔽スリーブの内側には、該遮蔽スリーブを折り返すと、外部から視認できる位置に装飾構造が設置されている。
【００３２】
この遮蔽構造はその他の技術的手段、例えば、ソックス胴部と別々に設置されるリング状遮蔽スリーブ、取り外し可能にソックス胴部に固定される遮蔽スリーブや遮蔽ベルトなどを採用しても構わない。
【００３３】
また、遮蔽スリーブを折り返さなければ、ソックス胴部の長さを増やすことができ、ペット用長丈ソックスとして使用可能になる。
【００３４】
一方、遮蔽スリーブを折り返すと、滑り落ち防止構造を覆い隠せる上に、厚みを増やして防寒効果をより向上できる。
【００３５】
装飾構造は、ペット用ソックスの美観を向上するために、様々な仕様を採用することができる。
遮蔽スリーブが弾性を備えれば、装飾構造をよりよく包み込むことができる。
【００３６】
上記のペット用ソックスにおいて、前記滑り落ち防止構造は、例えば、前記ベルトの一端がソックス胴部に固定され、もう一端が自由端であり、該ベルトの自由端に第１位置決め部材と第２位置決め部材が設置され、前記第１位置決め部材と第２位置決め部材が互いに連結されることでペットの足部にソックスを固定する。
また、他の滑り落ち防止構造としては、例えば、前記ベルトの中央部がソックス胴部に固定され、ベルトの一端に第３位置決め部材が設置され、ベルトの他端には第４位置決め部材が設置され、前記第３位置決め部材と第４位置決め部材が互いに連結されることでペットの足部にソックスを固定する。
【００３７】
前記位置決め部材としては、例えば、前記第１位置決め部材が第１マジックテープ（登録商標）であり、前記第２位置決め部材が第２マジックテープであり、前記第１マジックテープと第２マジックテープが互いに貼り付くことで固定する構造としてもよい。
【００３８】
この第１位置決め部材及び第２位置決め部材はその他の構造、例えばボタンとボタンホールとの係合、ファスナー、スナップボタンなどであっても構わない。
同じく、第３位置決め部材及び第４位置決め部材も第１位置決め部材及び第２位置決め部材と同じ技術的手段を採用してもよい。
【００３９】
上記のペット用ソックスの製造方法について述べる。
【００４０】
Ａ、ソックスの作製。
糸でソックス本体を編み、該ソックス本体はソックス胴部と、ペットの足を収容するソックス底部とを含み、前記ソックス胴部がソックス底部と連通し、ソックス胴部の上にペットの足が出入りするためのソックス開口を設ける。
【００４１】
Ｂ、防水材の付加。
液体の弾性防水材料を容器に入れ、作製したソックス本体をペットの足部と同じ形状のモールドに被装し、該ソックス本体が被装されたモールドを弾性防水材料に漬け、防水層を形成する。ソックス本体の一部に防水層を付加するの場合には、ソックスの一部を、ソックス全体に防水層を付加する場合には、ソックス全体を液体の弾性防水材料に漬ける。
【００４２】
Ｃ、乾燥成形。
防水材の付加が完了した後、ソックス本体を加熱装置に入れ、乾燥させてから弾性防水層を形成する。その後にソックス本体をモールドから外す。
【００４３】
Ｄ、滑り落ち防止構造及び遮蔽構造の加工。
ソックス胴部の上方中央部にベルトを直接固定し、または取り外し可能に固定する。
該ベルトが円周上にソックス胴部に巻き付き、ソックス胴部をペットの足部に締め付けることができる。
ベルトの上方または下方にソックス胴部と一体的に連結する遮蔽スリーブを形成し、且つ該遮蔽スリーブに、折り返すとベルトを覆い隠せる装飾構造を設置する。
【考案の効果】
【００４４】
従来の技術と比べ、本考案に係るペット用ソックスは以下の効果を有する。
設計が合理的で、構造が簡単で、滑り落ち防止構造を設置したため、ペットの足部からソックスが滑り落ち難くなる。また、ソックスをペットの足部に確実に締め付けることができる。更に、遮蔽スリーブを設置することで、滑り落ち防止構造を覆い隠し、ペット用ソックスの美観及び防寒効果をより向上する。また、弾性防水層を設置することで、着心地を改善し、ペットの足裏が損傷しないように保護できる。
【図面の簡単な説明】
【００４５】
【図１】本考案の実施例１の構造説明図である。
【図２】本考案の実施例２の構造説明図である。
【図３】本考案の実施例３の構造説明図である。
【図４】本考案の実施例４の滑り落ち防止構造を覆い隠していないときの構造説明図である。
【図５】本考案の実施例４の滑り落ち防止構造を覆い隠しているときの構造説明図である。
【図６】本考案の実施例５の構造説明図である。
【考案を実施するための形態】
【００４６】
以下では、図面を用いて本考案についてさらに詳しく説明する。
【００４７】
（実施例１）
図１に示すように、本ペット用ソックスは、ソックス胴部１と、ペットの足を収容するソックス底部２とを含み、前記ソックス胴部１がソックス底部２と連通し、ソックス胴部１の上にペットの足が出入りするためのソックス開口３を備えている。ソックス底部２の底部外側に、弾性防水材料で作製された弾性防水層４が複合設置される。弾性防水層４がソックス底部２の底部全体を覆い、且つ上へ向けて延伸して側面包囲部５を形成し、側面包囲部５がソックス胴部１の外側を局部的に覆う。
【００４８】
このように、ソックス底部２の底部外側に弾性防水層を設置したため、水分の浸入を効果的に防止でき、着心地がよくなる上に、健康にも有利である。また、弾性を有するため、多様なペットの異なる足のサイズに適用でき、使用の幅が広い。
更に、弾性防水層はペット用ソックスを防護する効果があり、耐磨耗性が向上した上に、不純物の付着を避け、損傷を回避することができる。
【００４９】
また、本考案に係るペット用防水ソックスの美観を向上させるために、ソックス胴部に様々な模様を設置することができる。また、ペットの種類によって、本ペット用防水ソックスを様々な形状に設計することができる。
弾性防水材料はＰＶＣ、ＰＵ、ゴム、シリコン、ラテックスのうちのいずれか１種によって作製できる。
【００５０】
（実施例２）
本実施例は、図２に示すように、側面包囲部５がソックス胴部１の外側全体を覆う構成としたものである。その他の構成は実施例１と同様であるので、説明は省略する。
【００５１】
このような構成としたので、より防水性や耐損傷性を備えており、使用寿命を長くすることができる。
【００５２】
（実施例３）
本実施例は、図３に示すように、弾性防水層４の底部に滑り止め構造６が設置される構成としたものである。
滑り止め構造６は、シート状のパッド７を含み、前記パッド７の底部に凸凹構造が設置され、また、前記滑り止め構造６は、弾性防水層４の底部に形成され、且つ弾性防水層４と一体的に連結している凸凹模様である。
パッド７は貼り付けまたは溶接、溶着によって弾性防水層４に固定され、前記凸凹構造は、パッド７の底部に分布する突出点、突出ラック、突出ブロック、突出リングのうちのいずれかの１つまたは幾つかの組合せを含む。
その他は実施例１や２と同様であるので、説明は省略する。
【００５３】
この様な構造としたことで、ペットが濡れた道や凍結路上を歩く時に、滑ることをなくすことができる。
【００５４】
（実施例４）
本実施例は、図４又は図５に示すように、ソックス胴部１に滑り落ち防止構造８が設置され、さらにソックス胴部１に、前記滑り落ち防止構造８を覆い隠すことのできる遮蔽構造９が設置される構成としたものである。
滑り落ち防止構造８がソックス胴部１の上方中央部に固接され、または取り外し可能に連結され、前記滑り落ち防止構造８は、ソックス胴部１に設置されるベルト１０を含み、前記ベルト１０が円周上にソックス胴部１に巻き付き、ソックス胴部１をペットの足部に締め付ける。
【００５５】
この滑り落ち防止構造８はその他の構造、例えば引き紐、調整ベルト、ボタンの留め具などの技術的手段であっても構わない。
【００５６】
遮蔽構造９は、ソックス胴部１に設置され且つソックス胴部１と一体的に連結する遮蔽スリーブ１１を含み、前記遮蔽スリーブ１１を折り返して前記滑り落ち防止構造８を覆い隠すものである。
前記遮蔽スリーブ１１の内側には、前記遮蔽スリーブ１１を外側に折り返すと、外部から視認できる様な装飾構造が設置される。
【００５７】
この遮蔽構造９はその他の技術的手段、例えば、ソックス胴部と別々に設置されるリング状遮蔽スリーブ、取り外し可能にソックス胴部に固定される遮蔽スリーブや遮蔽ベルトなどを採用しても構わない。
【００５８】
遮蔽スリーブを折り返さなければ、ソックス胴部の長さを増やすことができ、ペット用長丈ソックスとして使用可能になる。
【００５９】
一方、遮蔽スリーブを折り返すと、滑り落ち防止構造を覆い隠せる上に、厚みを増やして防寒効果をより向上できる。
【００６０】
装飾構造は、ペット用ソックスの美観を向上するために、様々な仕様を採用することができる。遮蔽スリーブが弾性を備えれば、装飾構造をよりよく包み込むことができる。
遮蔽スリーブ１１は、滑り落ち防止構造８の上方または下方に設置することができる。
【００６１】
滑り落ち防止構造８の上方に位置するときは、遮蔽スリーブ１１がソックス胴部１のリブトップであり、且つ該リブトップを折り返すと、滑り落ち防止構造８を覆い隠す。
【００６２】
滑り落ち防止構造８の下方に位置するときは、遮蔽スリーブ１１がソックス胴部１の中部に固定される筒状体であり、且つ該筒状体を捲り上げると、滑り落ち防止構造８を覆い隠すことができる。
【００６３】
ベルト１０の一端はソックス胴部１に固定され、もう一端が自由端であり、ベルト１０の自由端に第１位置決め部材１２と第２位置決め部材１３が設置され、前記第１位置決め部材１２と第２位置決め部材１３が互いに連結されることでソックスを固定する。
【００６４】
位置決め部材としては、例えば、第１位置決め部材１２が第１マジックテープであり、第２位置決め部材１３が第２マジックテープであり、前記第１マジックテープと第２マジックテープが互いに貼り付くことで固定する構造としてもよい。
【００６５】
この第１位置決め部材及び第２位置決め部材はその他の構造、例えばボタンとボタンホールとの係合、ファスナー、スナップボタンなどであっても構わない。
本実施例のその他の構造は実施例１、２または３と同様であるので、説明を省略する。
【００６６】
このような構造としたことで、ソックスをペットの足部にしっかりと固定することができる。また、ソックスの外観も向上させることができる。
【００６７】
（実施例５）
本実施例は、図６に示すように、ベルト１０の中央部がソックス胴部１に固定され、ベルト１０の一端に第３位置決め部材１４が設置され、ベルト１０の他端には第４位置決め部材１５が設置され、前記第３位置決め部材１４と第４位置決め部材１５とが互いに連結されることでソックスを固定する構造としたものである。
第３位置決め部材及び第４位置決め部材も第１位置決め部材及び第２位置決め部材と同じ技術的手段を採用してもよい。本実施例のその他の構造は実施例５と同様であるので、説明は省略する。
【００６８】
このような構成としたことでソックスをペットの足部にしっかりと固定することができる。また、ソックスの外観も向上させることができる。
【００６９】
本考案に係るペット用ソックスの製造方法は、以下のステップを含む。
【００７０】
Ａ、ソックスの作製。
糸でソックス本体を編み、該ソックス本体はソックス胴部１と、ペットの足を収容するソックス底部２とを含み、前記ソックス胴部１がソックス底部２と連通し、ソックス胴部１の上にペットの足が出入りするためのソックス開口３を設ける。
【００７１】
Ｂ、防水材の付加。
液体の弾性防水材料を容器に入れ、作製したソックス本体をペットの足部と同じ形状のモールドに被装し、ソックス本体が被装されたモールドを弾性防水材料に漬け、ソックス本体の一部または全体を液体の弾性防水材料に漬ける。
【００７２】
Ｃ、乾燥成形。
防水材の付加が完了した後、ソックス本体を加熱装置に入れ、乾燥させて弾性防水層４を形成させ、その後、ソックス本体をモールドから外す。
【００７３】
Ｄ、滑り落ち防止構造及び遮蔽構造の加工。
ソックス胴部１の上中部にベルト１０を直接固定し、または取り外し可能に固定し、且つ該ベルト１０が円周上にソックス胴部１に巻き付き、ソックス胴部１をペットの足部に締め付けることができる。ベルト１０の上方または下方にソックス胴部１と一体的に連結する遮蔽スリーブ１１を形成し、且つ該遮蔽スリーブ１１に、折り返すとベルト１０を覆い隠せる装飾構造を設置する。
【００７４】
本文に記載した具体的な実施例は本発明の構想に対する例示的な説明に過ぎない。当業者は記載した具体的な実施例に対して様々な変更、補充、または類似方法による代替を行うことが可能であるが、それが本発明の構想から逸脱し、または請求の範囲を超えることはない。
【００７５】
本文では、ソックス胴部１、ソックス底部２、ソックス開口３、弾性防水層４、側面包囲部５、滑り止め構造６、パッド７、滑り落ち防止構造８、遮蔽構造９、ベルト１０、遮蔽スリーブ１１、第１位置決め部材１２、第２位置決め部材１３、第３位置決め部材１４、第４位置決め部材１５などの用語を多く使用したが、その他の用語を使用する可能性も除いていない。これらの用語はより便利に本考案の本質を説明及び解釈するためのものに過ぎず、如何なる付加的な制限として捉えることは、本考案の構想に違背することである。
【符号の説明】
【００７６】
１  ソックス胴部
２  ソックス底部
３  ソックス開口
４  弾性防水層
５  側面包囲部
６  滑り止め構造
７  パッド
８  滑り落ち防止構造
９  遮蔽構造
１０  ベルト
１１  遮蔽スリーブ
１２  第１位置決め部材
１３  第２位置決め部材
１４  第３位置決め部材
１５  第４位置決め部材
【図１】
0003197313.tif 000003
【図２】
0003197313.tif 000004
【図３】
0003197313.tif 000005
【図４】
0003197313.tif 000006
【図５】
0003197313.tif 000007
【図６】
0003197313.tif 000008
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
ソックス胴部（１）と、ペットの足を収容するソックス底部（２）とを含み、前記ソックス胴部（１）がソックス底部（２）と連通し、前記ソックス胴部（１）の上にペットの足が出入りするためのソックス開口（３）を備えるペット用ソックスにおいて、
前記ソックス底部（２）の底部外側に、弾性防水材料で作製された弾性防水層（４）が複合設置されることを特徴とするペット用ソックス。
【請求項２】
前記弾性防水層（４）が前記ソックス底部（２）の底部全体を覆い、且つ上へ向けて延伸して側面包囲部（５）を形成し、前記側面包囲部（５）が前記ソックス胴部（１）の外側全体を覆い、または前記ソックス胴部（１）の外側を局部的に覆うことを特徴とする請求項１に記載のペット用ソックス。
【請求項３】
前記弾性防水層（４）の底部に滑り止め構造（６）が設置されることを特徴とする請求項１又は２に記載のペット用ソックス。
【請求項４】
前記滑り止め構造（６）は、シート状のパッド（７）を含み、前記パッド（７）の底部には凸凹構造が設置され、または前記滑り止め構造（６）は、前記弾性防水層（４）の底部に形成され、且つ前記弾性防水層（４）と一体的に連結している凸凹模様であることを特徴とする請求項３に記載のペット用ソックス。
【請求項５】
前記パッド（７）は貼り付けまたは溶接によって前記弾性防水層（４）に固定され、前記凸凹構造は、前記パッド（７）の底部に分布する突出点、突出ラック、突出ブロック、突出リングのうちのいずれかの１つまたは幾つかの組合せを含むことを特徴とする請求項４に記載のペット用ソックス。
【請求項６】
前記ソックス胴部（１）に滑り落ち防止構造（８）が設置され、さらに前記ソックス胴部（１）に、前記滑り落ち防止構造（８）を覆い隠すことのできる遮蔽構造（９）が設置されることを特徴とする請求項１から５のいずれか一項に記載のペット用ソックス。
【請求項７】
前記滑り落ち防止構造（８）は前記ソックス胴部（１）の上方中央部に固定され、または取り外し可能に連結され、前記滑り落ち防止構造（８）は、前記ソックス胴部（１）に設置されるベルト（１０）を含み、前記ベルト（１０）は円周上に前記ソックス胴部（１）に巻き付き、前記ソックス胴部（１）をペットの足部に締め付けることを特徴とする請求項６に記載のペット用ソックス。
【請求項８】
前記遮蔽構造（９）は、前記ソックス胴部（１）に設置され且つ前記ソックス胴部（１）と一体的に連結する遮蔽スリーブ（１１）を含み、前記遮蔽スリーブ（１１）を折り返して前記滑り落ち防止構造（８）を覆い隠し、前記遮蔽スリーブ（１１）の内側には、折り返すと外部から視認できる装飾構造が設置されていることを特徴とする請求項６に記載のペット用ソックス。
【請求項９】
前記ベルト（１０）の一端が前記ソックス胴部（１）に固定され、もう一端が自由端であり、前記ベルト（１０）の自由端には第１位置決め部材（１２）と第２位置決め部材（１３）が設置され、前記第１位置決め部材（１２）と前記第２位置決め部材（１３）は互いに連結され、または、前記ベルト（１０）の略中央部が前記ソックス胴部（１）に固定され、前記ベルト（１０）の一端に第３位置決め部材（１４）が設置され、前記ベルト（１０）の他端には第４位置決め部材（１５）が設置され、前記第３位置決め部材（１４）と第４位置決め部材（１５）とが、互いに連結されることを特徴とする請求項７に記載のペット用ソックス。